(57)【要約】【目的】  主として誤記等を白色のインキで隠蔽することで修正可能とするボールペン式塗布具の改良に関する。【構成】  先端にボールペンのチップと後方にインキ収容管を備え、先端ボールがチップ先端のボール抱持部の内縁に密接するように先端ボールの背面にバネ圧が付与されてなる塗布具に於いて、当該塗布具は、インキ収容管の前方に形成された軸部前端の内孔略中央部に弁室が形成され、この弁室は、後端にテーパー状又は球面状の弁体受け座とその中心に後方のインキ収容部に連通する導孔が形成され、弁室内に弁体が挿入されると共に、弁体の前方にスプリングにより前方に附勢された当接軸が配設され、当接軸の前端が先端ボールの背面に押圧状に当接し、後端が弁体の前端に適宜隙間を有した状態で前記軸部がチップの内孔部に固着されてなる。【選択図】        図１
2005212419.tif 000002
【特許請求の範囲】
【請求項１】
先端にボールペンのチップと後方にインキ収容管を備え、先端ボールがチップ先端のボール抱持部の内縁に密接するように先端ボールの背面にバネ圧が付与されてなる塗布具に於いて、
当該塗布具は、インキ収容管の前方に形成された軸部前端の内孔略中央部に弁室が形成され、この弁室は、後端にテーパー状又は球面状の弁体受け座とその中心に後方のインキ収容部に連通する導孔が形成され、弁室内に弁体が挿入されると共に、弁体の前方にスプリングにより前方に附勢された当接軸が配設され、当接軸の前端が先端ボールの背面に押圧状に当接し、後端が弁体の前端に適宜隙間を有した状態で前記軸部がチップの内孔部に固着されたことを特徴とする塗布具。
【請求項２】
インキ収容管には少なくとも酸化チタン、高分子中空微粒子等の白色顔料とゲル化剤を含み、顔料の沈降が防止されると共に流動性が極力損なわれないように配合された白色顔料インキが充填され、そのインキの後端にインキの消耗と共にインキと追随するフォロアが設けられてなる請求項１に記載の塗布具。
【発明の詳細な説明】
【技術分野】
【０００１】
本発明は、主として誤記等を白色のインキで隠蔽することで修正可能とするボールペン式塗布具の改良に関する。
【背景技術】
【０００２】
【特許文献１】特開平８−５２４０７
【特許文献２】特表平７−５０６８６２
【特許文献３】実開昭６３−９８７７６
【特許文献４】特開２００１−３２８３８８  従来、誤記等を修正するために白色顔料を用いた液体塗布具が知られている。また、白色顔料と溶剤が分離しやすい為にこの種の液体塗布具は可撓性のある容器にインキとボール等が封入されており、使用に際して振って攪拌する必要がある。また、インキを吐出する為に容器の側面を押圧して行うが、インキ残量が少なくなった時には容器の側壁を強く押してもインキが吐出されないという苛立たしさがある。（特許文献１）また、剪断減粘性を有するインキを使用して、攪拌しないですむものも知られているが、上向きで塗布したときにインキが逆流してインキ切れしやすい問題が存在する。（特許文献２）また、後端に加圧機構を設けて、ポンピング作用によってインキの流出を支援すると共に、インキの逆流が防止可能となるものが知られているが、加圧機構部が複雑でコスト高となる欠点と、インキの粘度が比較的低い場合に塗布の際に加圧によって異常にインキが吐出してしまう問題がある。（特許文献３，４）
【発明の開示】
【発明が解決しようとする課題】
【０００３】
本発明は、攪拌する必要が無く、容器の側面を押圧する煩わしさの無い誤記等修正用のボールペン式塗布具を提供可能とすることにある。
【課題を解決するための手段】
【０００４】
本発明は、上記課題を達成する為に以下の構成を有する。
請求項１に記載の発明に係る塗布具は、先端にボールペンのチップと後方にインキ収容管を備え、先端ボールがチップ先端のボール抱持部の内縁に密接するように先端ボールの背面にバネ圧が付与されてなる塗布具に於いて、インキ収容管の前方に形成された軸部前端の内孔略中央部に弁室が形成され、この弁室は、後端にテーパー状又は球面状の弁体受け座とその中心に後方のインキ収容部に連通する導孔が形成され、弁室内に弁体が挿入されると共に、弁体の前方にスプリングにより前方に附勢された当接軸が配設され、当接軸の前端が先端ボールの背面に押圧状に当接し、後端が弁体の前端に適宜隙間を有した状態で前記軸部がチップの内孔部に固着されてなる。
【０００５】
請求項２に記載の発明に係る塗布具は、請求項１に記載の塗布具に於いて、インキ収容管には少なくとも酸化チタン、高分子中空微粒子等の白色顔料とゲル化剤を含み、顔料の沈降が防止されると共に流動性が極力損なわれないように配合された白色顔料インキが充填され、そのインキの後端にインキの消耗と共にインキと追随するフォロアが設けられてなる。
【発明の効果】
【０００６】
本発明は、白色顔料とゲル化剤を含み、顔料の沈降が防止されると共に、流動性が損なわれないように配合されたインキを使用して白色顔料と溶剤とが分離するような問題がなく、従ってインキを攪拌する必要がない使い勝手の良い誤記修正用のボールペン式塗布具が簡単な構造で安価に提供可能となる。
【発明を実施するための最良の形態】
【０００７】
図１及び図２は本発明の一実施例を示している
先ず、図１に示すように塗布具１のインキ収容管４内には白色顔料インキ８が充填され、そのインキの後端にインキの消耗と共にインキと追随するグリース状やゲル状のフォロア９が充填されている。また、フォロア９はインキと相溶性が無く且つインキの蒸発を防止する性能を有している。また、必要に応じてフォロア内にフォロアと略同等の比重を有する樹脂製のフォロア棒１０が浸漬される。また、フォロアは例えばシリコンゴム等の追従体とすることも可能である。
【０００８】
また、白色顔料インキ８は、少なくとも酸化チタン、高分子中空微粒子等の白色顔料とゲル化剤を含み、顔料の沈降が防止されると共に流動性が極力損なわれないように配合された白色顔料インキである。また、インキは剪断減粘性を有しているので先端ボールの回転で粘度が低下するのと相まって隠蔽性の高い塗布が可能である。
【０００９】
塗布具１は、インキ収容管４の前方に軸部５が一体に形成され、その軸部５前端の内孔略中央部に弁室５ａが形成されている。また弁室は、後端にテーパー状又は球面状の弁体受け座５ｂとその中心に後方のインキ収容部に連通する導孔５ｃが形成されている。
また弁室内に球状の弁体６が挿入される。
【００１０】
また軸部５の前方には、当接軸７が配設されている。この当接軸７は、前端にボール座部７ａとインキが疎通可能な溝部７ｂが形成され、後端部には適宜な溝部７ｃが形成されている。当接軸７の前端部と軸部５の前端との間にスプリング１１が敷設されて、当接軸７の前端（ボール座部７ａ）が先端ボール３の背面に押圧状に当接し、当接軸７の後端が弁体６の前端に適宜隙間を有した状態で前記軸部５の外周部がチップ２の内孔部に圧入などの手段によって固着されている。
【００１１】
以上によって、チップ２のボール抱持部２ａの内縁に先端ボール３が液密状に密接される。また塗布作業に伴う先端ボール３の適宜後退で当接軸７の後端が弁体６の前端に当接し、先端ボール３の更なる後退が阻止可能となる。
【００１２】
ところで、先端ボール３がボール抱持部２ａの内面に密接することはインキが高粘度であっても筆記先端の乾燥、インキの直流防止に対し極めて重要である。従って、特に金属チップの場合には先端ボール３を抱持するチップ内面の表面粗さ、カシメによる密接精度を改善する為に内面の研削仕上げ、カシメ精度を上げる為の二次的な塑性加工が配慮される。また、必要によっては先端ボールとの密接面に表面処理などが配慮される。
また、本願のような誤記修正用のボールペン式塗布具は、インキの吐出量を多くする為や見詰まり排除から筆記用のボールペンに比較して先端ボールの後退する寸法が大きく設定されている。
【００１３】
（作用）
次に、実施例の作用を以下に説明する。
先端ボール３に塗布のための押圧がかからない状態では、スプリング１１の押圧で先端ボール３がチップのボール抱持部２ａの内縁に液密状に密接されているのでインキの逆流は防止される。また、チップ２が上向きのときには弁体６が弁体受け座５ｂに密接して導孔５ｃを密閉するので、上向き塗布されてチップの先端ボール３背面のインキがなくなっても、インキにヘッドが掛かり逆流することがない。従って、チップ２を下向きにした時にインキが即流出可能となる。因みに弁体を有しない構造では、上向き塗布をするとインキが逆流する。
また、フォロア棒１０は、インキ収容管が大径である場合に使用される。即ち、グリース状やゲル状のフォロア９は、インキ収容管が大径の場合に衝撃などの影響で変形を受け破壊されやすいという問題がある。フォロア内にフォロアと略同等の比重を有する樹脂製のフォロア棒を浸漬させることにより剛性を上げることが可能となる。
【００１４】
（その他実施形態）
フォロア棒１０は、インキ収容管が大径で逆流しやすい場合や、上向き塗布を繰り返した時や衝撃がかかった時に性能を発揮するものであって、構成要素として必須のものではなく、特に誤記修正用の塗布具は上向きに使用されることは少ないので必ずしも必要としない。
また、弁体６は、球状に限らず棒状など種々の形状が適用できる。
また、当接軸７の後端に形成された溝部７ｃはインキの流出を円滑とするために必要により設けられ、必ずしも必要としない。
【図面の簡単な説明】
【００１５】
【図１】実施例であるボールペン式塗布具の縦断面図で、チップを上向きにした状態を示している。
【図２】実施例であるボールペン式塗布具の縦断面図で、チップを下向きにした状態を示している。
【符号の説明】
【００１６】
１      塗布具
２      チップ
２ａ    ボール抱持部
３      先端ボール
４      インキ収容管
５      軸部
５ａ    弁室
５ｂ    弁体受け座
５ｃ    導孔
６      弁体
７      当接軸
７ａ    ボール座部
７ｂ    溝部
７ｃ    溝部
８      インキ
９      フォロア
１０    フォロア棒
【図１】
2005212419.tif 000003
【図２】
2005212419.tif 000004